(57)【要約】【課題】ドキュメントフィーダ利用によるジャム発生時の原稿再セットの簡易化、復帰処理時間の短縮、および復帰処理後の操作性向上を可能とする画像複写装置を提供する。【解決手段】画像複写装置におけるＧ／Ａ（システム制御部）２１が、ジャム発生時の原稿情報および複写時の設定情報を不揮発性メモリ２２に保存し、再セット時に、複写済みの原稿まで読み飛ばす空スキャンを行い、またジャム処理後に複写時の設定を行うので、ジャム発生時でも迅速かつ容易に複写動作を再開できる。【選択図】　　　　図１
2004080548.tif 000002
【特許請求の範囲】
【請求項１】
ドキュメントフィーダ利用によって複数原稿を連続して読み取る読み取り手段と、
前記複数原稿の情報およびジャム発生時の原稿情報を記憶する記憶手段と、
前記複数原稿を、設定した複数部数に印刷する印刷手段と、
前記記憶手段から送られる前記ジャム発生の原稿情報により印刷を制御する制御手段とを有し、
ドキュメントフィーダ利用による原稿のジャムによりジョブが停止した時に、ユーザはすべての原稿を再セットし、再スタートさせれば、印刷済みのページまで原稿を飛ばした上で、一時停止した前記ジョブを再開して印刷することを特徴とする画像複写装置。
【請求項２】
前記原稿の再セットにおいて、ユーザは任意の原稿を再セットし、再スタートさせれば、印刷済みのページまで原稿を飛ばした上で、一時停止した前記ジョブを再開して印刷することを特徴とする請求項１記載の画像複写装置。
【請求項３】
前記原稿のジャム処理時において、安全のために電源をオフにした場合に、複写時の設定を不揮発性メモリに待避させ、ジャム処理後に電源をオンにした時に、再設定を行い、そのまま印刷を継続できることを特徴とする請求項１または２記載の画像複写装置。
【請求項４】
前記再設定において、ジャム発生時のすべての複写設定に戻すことを特徴とする請求項３記載の画像複写装置。
【発明の詳細な説明】
【０００１】
【発明の属する技術分野】
本発明は、ドキュメントフィーダを有するデジタル複写機、印刷機等のジャム処理機能を有する画像複写装置に関する。
【０００２】
【従来の技術】
従来の画像複写装置は、ドキュメントフィーダ利用により連続して原稿を読み取り、複数の部数を複写するような際に、ジャムによって機械が停止してしまった場合において、すでに排出された複写原稿を調べ、その複写結果に応じて原稿を再セットする必要があった。
【０００３】
また、従来の画像複写装置は、ジャム処理の際に、安全のため機械の電源をオフにするような場合において、ジャム処理後に複写を再スタートする時に、ジャム発生前のすべての複写印刷設定を再設定する必要があった。
【０００４】
上述のような従来複写機の構成例として、図２にデジタル普通紙コピー機の構成を示す。該デジタル普通紙コピー機において、まずスキャナ部は、圧板とドキュメントフィーダを有しており、連続した複数の原稿を読み取るときには、ドキュメントフィーダに原稿をセットし、本のような原稿の場合には、圧板にセットすることによって、原稿の画像を読み取ることができる。読み取った画像データは、ＣＣＤのアナログ信号からデジタル信号に変換され、画像処理部にシェーディング補正、フィルタ補正、２値／多値変換、画像認識等の処理を行われた後、メモリ部に保存される。プロッタ部（書き込み部）では、保存されたデータをユーザが設定する複写モード（複写枚数、両面、拡大縮小、複数複写やそのソーティング）に応じて、メモリからデータを取りだして、印刷を行う。
【０００５】
また、本発明と類似する技術分野の従来例１として、特開平５−１１３７０３号公報の「自動原稿搬送装置」がある。これは、複写に関与している原稿の設定枚数の複写が完了した後に、ジャム処理を行うようにしたので、ジャム発生によって複写動作が中断されることなく、正確な枚数の複写が可能となる。
【０００６】
また、従来例２として、特開平８−１９０３２４号公報の「画像複写装置」がある。これは、キーカウンタ機能を有する画像複写装置において、ジャム発生の場合の復帰処理後に、キーカウンタを再セットする動作を省略することにより、復帰処理の時間短縮と復帰処理の操作性の向上が可能となる。
【０００７】
また、従来例３としては特開平１０−６９１３６号公報の「画像記録装置のジャム制御システム」がある。これは、複写機等において、ジャム検出時点でのレジストセンサ以前の搬送経路上に記録用紙が存在することを記憶でき、搬送経路上の記録用紙のみを除去することにより、すぐに複写を再開でき、また記録用紙を無駄に除去することもないので、復帰処理の時間短縮と記録用紙の節減が可能となる。
【０００８】
また、従来例４として、特開２０００−７９７４５号公報の「画像形成装置のジャム処理手順表示装置」がある。これは、不慣れなユーザが、ジャム処理に複雑な操作を要する画像形成装置、あるいはジャム処理の操作がわかりにくい画像形成装置を操作する場合であっても、順送りキーの操作に従い動画表示されるジャム処理手順により、操作の誘導を行うので、ユーザにとって容易かつ安全なジャム処理が可能となる。
【０００９】
【発明が解決しようとする課題】
しかしながら、従来の画像複写装置においては、ドキュメントフィーダによって複数原稿を複数部数ソートさせて複写する際に、ジャムが発生し複写動作が中断してしまった場合、複写を再開するために、すでに排出された複写原稿が正常に複写できているかを、ユーザ自身が１枚１枚確認し、未排出の原稿から再セットする作業を必要としたので、複写再開には時間がかかってしまった。
【００１０】
また、例えば、複写時に記録用紙が機械の中で巻き付いてしまったため、ユニットをはずすなどといった込み入ったジャム処理が必要の場合は、安全のために装置の電源をオフにして行うが、従来の画像複写装置においては、電源をオフにするとジャム情報や複写の設定情報がリセットされてしまうため、再び電源をオンにした後に、ユーザ自身が再設定する必要があり、複写再開には時間がかかってしまうだけでなく、ただでさえジャム処理に手間がかかったユーザにとっては、再設定は非常に効率の悪い作業であり、いらだたしいものである。
【００１１】
また、従来例１は、１枚の原稿について複数部数を複写する場合には、ジャムが発生しても正確な部数を確保できるが、ドキュメントフィーダを利用するような複数原稿を１枚ずつ連続して複写する場合のジャム発生時には対応できない。
【００１２】
また、従来例２は、ジャム発生時に、キーカウンタ機能にかかる複写機の再セット自体は容易にするが、正常な複写ができているかの原稿確認作業は必要となる。
【００１３】
また、従来例３は、複写機内部のレジスト位置前後の搬送経路上で発生するジャム処理に対しては有効であるが、ドキュメントフィーダ利用におけるジャム処理には対応できず、また正常な複写ができているかの原稿確認作業は必要となる。
【００１４】
また、従来例４は、ジャム発生の原稿情報を認識し、表示部に、例えば“原稿を２枚戻してセットしてください”等の案内を表示することにより、ジャム処理操作の誘導を行うユーザフレンドリーなシステムを有するものであるが、表示で何枚戻してくださいと案内を受けても、ジャムがドキュメントフィーダで起きている場合と、排紙で起きている場合とがあるので、ユーザはどこから数えて原稿を戻したらよいのか判らず、結果的に、どの部分まで正常に複写できたかを１枚１枚確認した上で再セットを行うことになり、正常な複写原稿を得る上で非常に煩わしいものであった。
【００１５】
本発明は、上記事情に鑑みてなされたものであり、ドキュメントフィーダ利用によるジャム発生の際、ユーザは何もケアすることなく、簡単な原稿の再セット作業を行うだけで、迅速に複写動作を再開することができ、正常な複写原稿を得られる画像複写装置を提供することを目的とする。
【００１６】
また、本発明は、ジャム処理時に電源をオフにするような場合、ユーザは再スタート時に複写設定を再度設定し直す必要がなく、継続して迅速に複写動作を再開することができ、正常な複写原稿を得られる画像複写装置を提供することを目的とする。
【００１７】
【課題を解決するための手段】
かかる目的を達成するために、請求項１記載の発明は、ドキュメントフィーダ利用によって複数原稿を連続して読み取る読み取り手段と、複数原稿の情報およびジャム発生時の原稿情報を記憶する記憶手段と、複数原稿を設定した複数部数に印刷する印刷手段と、記憶手段から送られるジャム発生の原稿情報により印刷の制御を行う制御手段とを有し、ドキュメントフィーダによって１枚ずつ複数の原稿を連続して読み取り、複数の原稿を複写する時に、原稿のジャム等により複写動作が停止した場合、ユーザは排出された複写原稿を確認することなく、何も考えずに複写開始前と同じようにすべての原稿をドキュメントフィーダに再セットし、複写動作の再スタートを行うだけで、ジャム発生原稿前までを読み飛ばして、既排出の複写原稿以降を引き続き複写動作を再開することにより、ユーザが簡単に正常な複写原稿を得ることを特徴としている。
【００１８】
請求項２記載の発明は、請求項１記載の画像複写装置において、複写のジャム発生時に、原稿量が多く、複写済みの原稿を読み飛ばすまでに時間がかかるような再セットの場合、ユーザが既排出と思われる任意の原稿をドキュメントフィーダに再セットし、複写動作の再スタートを行うだけで、機械が読み取りデータを比較してジャム発生前までを読み飛ばし、排出されていない原稿から引き続き複写動作を再開することにより、ユーザが簡単に正常な複写原稿を得ることを特徴としている。
【００１９】
請求項３記載の発明は、請求項１または２記載の画像複写装置において、原稿のジャム処理時に、安全のために装置の電源をオフにした場合でも、複写時の設定を不揮発性メモリに待避させ、ジャム処理後に再び電源をオンにした時に、設定情報を再ロードすることにより、ユーザはすべての複写情報を再設定する必要なく、継続して複写印刷を行えるようにすることを特徴としている。
【００２０】
請求項４記載の発明は、請求項３記載の画像複写装置において、ジャム処理後の電源投入時における画像複写装置の再設定は、ジャム発生時のすべての複写設定に戻すことを特徴としている。
【００２１】
【発明の実施の形態】
以下、本発明の実施の形態であるデジタル普通紙コピー機について、添付図面を参照しながら詳細に説明する。まず、図２は、本発明の画像複写装置における実施例であるデジタル普通紙コピー機の外観図である。このデジタル普通紙コピー機は、圧板／ドキュメントフィーダ１、原稿ガラス２、トレイ３、通気口４、主電源スイッチ５、電源キー６、操作部７、上トレイ排紙表示ランプ８、両面ユニット９、前カバー１０、給紙トレイ１１、マルチスルートレイ１２を有する。
【００２２】
次に、図２のデジタル普通紙コピー機の内部構成は、図３に示されるように、ＣＣＤ基板（スキャナ部）１３にＣＣＤ１４、アナログ処理１５、Ａ／Ｄ変換器１６を含み、画像処理基板１７にはデジタル処理（画像処理部）１８、ＣＰＵ１９、メモリ（メモリ制御部）２０を含んでいる。また、前記デジタル処理（画像処理部）１８において、画像データがデジタル処理される際の各種信号のタイミングは、図４に示されている。
【００２３】
次に、図１は、図２のデジタル普通紙コピー機内部の全体構成を示しており、Ｇ／Ａ（システム制御部）２１を主要部として、不揮発性メモリ２２、ＣＣＤ基板（スキャナ部）１３、画像処理基板１７との制御データのやりとりについて示している。
【００２４】
次に、図５を参照にして、デジタル普通紙コピー機における画像データの流れについて説明する。まず、連続した複数の原稿はドキュメントフィーダに、書籍のように切り離すことができない原稿は圧板にセットし、スキャナ部１３にてセットした原稿の画像データを読み取り、アナログ信号からデジタル信号に変換され、画像処理部１８で、シェーディング補正、フィルタ処理、変倍、２値／多値変換、画像認識等の処理をされる。その後、メモリ制御部２０で圧縮伸長、画像蓄積されて保存される。そして、書き込み部２３では、該保存データをユーザが設定する複写条件（複写枚数、両面複写、拡大縮小、複数複写とソーティング）に応じて、メモリ制御部２０から取り出して、複写を行う。また、システム制御部２１は、各部の制御を行うとともに、ジャム発生時の複写機の設定情報を不揮発性メモリ２２に待避、保存する。
【００２５】
次に、本発明にかかる第１の実施の形態として、図６を参照にしながら、前記デジタル複写機の動作について説明する。なお、ここではドキュメントフィーダに、複数枚の原稿をセットし、これを複数部数の複数原稿をソートさせて出力する設定を複写機に行った時に、複写途中でジャムが発生し機械が止まってしまった場合を想定する。
【００２６】
まず、複写途中でジャムが発生した時に（Ｓ１０１）、Ｇ／Ａ（システム制御部）２１にて、読み取り原稿の何枚目までが、メモリ（メモリ制御部）２０に正常な読み取りデータとして保存されているかという情報を、従来同様に認識し、ジャム発生原稿の番号を記憶する（Ｓ１０２）。前記情報は、ドキュメントフィーダの原稿スキャン回数をカウントすることにより、容易に得られる。
【００２７】
次に、ユーザはジャムの復帰処理、例えば、電源をオフにして、詰まった記録用紙を取り除く等の復帰処理を行う（Ｓ１０３）。復帰処理後、ユーザは排出された複写原稿を確認する必要なく、複写前と同じように、単にすべての原稿をドキュメントフィーダに再セットし（Ｓ１０４）、スタートボタンを押す（Ｓ１０５）。
【００２８】
ここで、画像複写装置はジャム発生を検出し、複写動作が停止したことを認識しているので、リカバリーモードに入り、スタートボタンが押されても、すぐには複写を行わず、Ｓ１０２で認識した正常な読み取り原稿を飛ばして、ジャム発生原稿まで空スキャンを行う（Ｓ１０６）。そして、ジャム発生原稿の番号と空スキャンの番号が一致すれば（Ｓ１０７／ＹＥＳ）、複写動作を再開する。一致しない場合（Ｓ１０７／ＮＯ）、再び空スキャンを実施する。
【００２９】
上述のように、第１の実施の形態は、すこぶる簡単にすべての原稿を再セットすればよく、また複写機としてもジャム履歴を利用するだけですむことから、従来機に対し、比較的容易に反映することが可能である。
【００３０】
次に、本発明にかかる第２の実施の形態として、図７を参照にしながら、画像複写装置の動作について説明する。上述した第１の実施の形態においては、すべての原稿を再セットすることにより、ジャム発生原稿に至るまで読み飛ばすための時間が必要であり、ユーザのハンドリングは楽であるが、時間が比較的かかるという短所がある。ここでは、前述した第１の実施の形態において、ユーザのハンドリングを容易にしながら、前記短所の改善を狙った動作を説明する。
【００３１】
複写開始後、画像複写装置は原稿を読み取るごとに、メモリ（メモリ制御部）２０に原稿スキャンデータの保存と更新を行う（Ｓ２０１）。ここで、ジャムが発生すると（Ｓ２０２）、複写時に最終的に読み取った原稿のスキャンデータがメモリ（メモリ制御部）２０に保存される。
【００３２】
ユーザがジャムの復帰処理を行った後（Ｓ２０３）、この場合は、すべての原稿ではなく、例えばジャム発生時の原稿から数枚前の、ユーザが未排出であると判断した任意の原稿をドキュメントフィーダに再セットし（Ｓ２０４）、スタートボタンを押す（Ｓ２０５）。
【００３３】
画像複写装置は、再スタートした任意の原稿のスキャンデータと、保存された最終的に読み取った原稿のスキャンデータとを画像認識し、ジャム発生原稿の番号と空スキャンの番号が一致するまで、空スキャンを実施する（Ｓ２０６）。番号が一致すれば（Ｓ２０７／ＹＥＳ）、複写動作を再開し、一致しない場合は（Ｓ２０７／ＮＯ）、再び空スキャンを実施する。
【００３４】
次に、本発明にかかる第３の実施の形態として、図８を参照にしながら、画像複写装置の動作について説明する。なお、ここでは前述した第１および図２の実施の形態においてジャムが発生した時に、通常は複写機のカバーを開け、ジャム紙を取り除いてカバーをしめるような処置で復帰するが、搬送紙が機械の中で巻き付いてしまったりして、ユニットをはずすなど、多少込み入った処置が必要であり、安全のために電源をオフにして作業を行う場合を想定している。
【００３５】
まず、複写開始後、ジャムが発生すると（Ｓ３０１）、Ｇ／Ａ（システム制御部）２１にて今まで行っていた複写の設定情報を不揮発性メモリ２２に記録する（Ｓ３０２）。ユーザがジャム処理のために複写機の電源をオフにし（Ｓ３０３）、ジャム紙を除去する（Ｓ３０４）。ここで、電源をオフにする必要のない簡単なジャム処理の場合、記録された設定情報は、再び読み込まれることなく放置される。
【００３６】
ジャム処理後、画像複写装置は、記録された設定情報を自動的に再ロードし、ジャム発生前の複写設定に戻すことを行い（Ｓ３０５）、ユーザが電源を再びオンにした（Ｓ３０６）後に、複写を再開する。
【００３７】
ただし、通常の電源オフ／オン時の誤設定を避けるために、ジャム後の電源オフ／オン１回のみの反映、またはジャム発生から一定時間内の電源オフ／オンにのみ適用するような制約を持たせることが必要な場合がある。
【００３８】
以上の実施の形態についての説明のように、本発明の画像複写装置は、ドキュメントフィーダ利用によるジャム発生の場合、従来のように、排出した複写原稿をユーザ自身が確認することなく、処理を行った後にすべての原稿を再セットするだけで、やり直しのように紙を無駄にすることなく、すぐに複写再開をでき、正常な複写結果をたやすく得ることができる。
【００３９】
また、再セットする原稿が多く、再読み取りに時間がかかる場合には、ユーザは任意の原稿を再セットするだけで、すぐに複写再開できる。
【００４０】
また、ジャム処理時にリセットされてしまった複写時の設定を、ユーザ自身がわざわざ再設定することなく、ジャム除去後、継続して複写作業を行うことが可能である。
【００４１】
【発明の効果】
請求項１記載の本発明の画像複写装置によれば、ドキュメントフィーダ利用によって複数原稿を連続して読み取る読み取り手段と、複数原稿の情報およびジャム発生時の原稿情報を記憶する記憶手段と、複数原稿を設定した複数部数に印刷する印刷手段と、記憶手段から送られるジャム発生の原稿情報により印刷の制御を行う制御手段とを有し、ドキュメントフィーダによって、１枚ずつ複数の原稿を連続して読み取り、複数の原稿を複写する時に、原稿のジャム等のアクシデントにより複写動作が停止した場合でも、ユーザは既排出の複写原稿状態や再セットする原稿の内容等を確認する必要もなく、単純にすべての原稿をセットするだけで、複写動作を再スタートさせれば、自動的に複写済みの原稿を飛ばし、未排出の原稿から複写動作を再開できることを特徴としているので、ユーザは迅速に複写再開ができ、また正常な複写原稿を容易に得ることができる。
【００４２】
また、請求項２にかかる本発明の画像複写装置によれば、請求項１記載の画像複写装置において、原稿等のジャム発生時に、原稿量が多く複写済みの原稿を読み飛ばすまでに時間がかかるような再セットの場合、ユーザが既排出と思われる任意の原稿をドキュメントフィーダに再セットし、複写動作を再スタートさせれば、自動的に読み取り情報を比較して複写済みの原稿を飛ばし、未排出の原稿から複写動作を再開すること特徴としているので、ユーザはすべての原稿を再セットする必要もなく、再読み取りの時間を短縮できる。
【００４３】
また、請求項３にかかる本発明の画像複写装置によれば、請求項１または２記載の画像複写装置において、複写時の設定を不揮発性メモリに待避させ、ジャム処理後に再び電源をオンにした時に、設定情報を再ロードすることを特徴としているので、ジャム等の処理のために電源を切らざるをえなかった時でも、複写印刷の設定を再度入力することなく、印刷を継続することができる。
【００４４】
請求項４記載の発明は、請求項３記載の画像複写装置において、ジャム処理後の電源投入時における画像複写装置の再設定は、ジャム発生時のすべての複写設定に戻すことを特徴としているので、複写印刷の設定を再度入力することなく、印刷を継続することができる。
【図面の簡単な説明】
【図１】本発明の画像複写装置における全体的な内部構成を示すブロック図である。
【図２】本発明の画像複写装置の実施例であるデジタル複写機を示す外観図である。
【図３】本発明の画像複写装置におけるＣＣＤ基板と画像処理基板を示すブロック図である。
【図４】本発明の画像複写装置におけるデジタル処理についての各種信号のタイミングチャートである。
【図５】本発明の画像複写装置における画像データの流れを示すブロック図である。
【図６】第１の実施の形態における動作手順を示すフローチャートである。
【図７】第２の実施の形態における動作手順を示すフローチャートである。
【図８】第３の実施の形態における動作手順を示すフローチャートである。
【符号の説明】
１　圧板／ドキュメントフィーダ
２　原稿ガラス
３　トレイ
４　通気口
５　主電源スイッチ
６　電源キー
７　操作部
８　上トレイ排紙表示ランプ
９　両面ユニット
１０　前カバー
１１　給紙トレイ
１２　マルチスルートレイ
１３　ＣＣＤ基板（スキャナ部）
１４　ＣＣＤ
１５　アナログ処理
１６　Ａ／Ｄ変換器
１７　画像処理基板
１８　デジタル処理（画像処理部）
１９　ＣＰＵ
２０　メモリ（メモリ制御部）
２１　Ｇ／Ａ（システム制御部）
２２　不揮発性メモリ
２３　書き込み部
【図１】
2004080548.tif 000003
【図２】
2004080548.tif 000004
【図３】
2004080548.tif 000005
【図４】
2004080548.tif 000006
【図５】
2004080548.tif 000007
【図６】
2004080548.tif 000008
【図７】
2004080548.tif 000009
【図８】
2004080548.tif 000010